(57)【特許請求の範囲】
【請求項１】
排水管又は継手の下端部に取り付けられる取付部と、前記取付部に設けられ前記排水管又は継手に接続される樹脂管の端部周面をバネ力によって押圧する金属材料からなるバネ部材と、を備えた防火アタッチメントを樹脂管に取り付けるための治具であって、
樹脂管を内側に嵌め込むことが可能な内径を有する外側筒部と、
該外側筒部の一方端で外側筒部から延設するように長く形成されてなり、少なくとも外側筒部の内側に配置されている筒部が樹脂管の内径に嵌り込む外径を有してなる内側筒部と、
を備えてなる防火アタッチメントの取り付け治具。
【請求項２】
前記外側筒部の側面に、防火アッタチメントを押圧するスライド部を備えたことを特徴とする請求項１記載の防火アタッチメントの取り付け治具。
【請求項３】
前記内側筒部は、先端が細くなるようにテーパーが設けられていることを特徴とする請求項１又は２記載の防火アタッチメントの取り付け治具。
【請求項４】
樹脂管への嵌め込み、取り外しを容易にするため、把手部材を備えていることを特徴とする請求項１から３のいずれかに記載の取り付け治具。
【発明の詳細な説明】
【技術分野】
【０００１】
本発明は、中高層集合住宅等の建築物の床又は壁等の防火区画を貫通する排水管又は継手に取り付けられる樹脂管の防火アタッチメントの取り付け治具に関し、詳細には各階の防火区画を貫通する排水管又は継手に取り付けられて、該排水管又は継手の管路に通じた他の防火区画への延焼を防止する防火アタッチメントを樹脂管に取り付けるための治具に関する。
【背景技術】
【０００２】
本発明者は、中高層集合住宅等の建築物の床又は壁等の防火区画を貫通する排水管又は継手に接続される排水立管として、重く取り扱い性が悪い金属管や耐火二層管などの配管部材に代えて、軽量で取り扱い性が良好な樹脂管を用いた場合でも、火災発生時に排水管又は継手の管路を通じた他の防火区画への延焼を確実に防止することができる防火アタッチメントを提案している。この防火アタッチメントは、前記排水管又は継手の下端部に取り付けられる環状をなす取付部と、その取付部の非取付面側であって環周りに固定された複数の三角形状をなす板バネからなり、これら複数の板バネの先端が前記取り付け部の非取付面側で突き合わせ状態となるように付勢されていて、前記排水管又は継手に接続される樹脂製の排水立管端部周面を押圧して保持する保持部材とからなるものを提案している（特許文献２参照）。
【０００３】
【特許文献１】特願２００７−０７０５１１号
【発明の開示】
【発明が解決しようとする課題】
【０００４】
しかしながら、この防火アタッチメントを樹脂管に取り付ける場合、防火アタッチメントの構成上、板バネの先端が突き合わせ状態に付勢されているため、板バネの先端側から取り付けることができない。従って、図１８に示すように、防火アタッチメントを取付部側から装着し、樹脂管上を反対側端部の近傍まで、矢印の方向に樹脂管の長さだけ移動させなければならなかった。これは防火アタッチメントを数ｍ近くスライドさせなければならない上に、移動に大きな力が必要であることから非常に手間のかかる作業であった。
【０００５】
また、防火アタッチメントを初めに樹脂管を挿入するとき、樹脂管を押し込むことによって板バネを広げなくてはならない。しかし、板バネをいきなり樹脂管の管径まで広げるにはかなりの力が必要であり、非常に困難な作業となっていた。
【０００６】
本発明は、以上のような問題点を鑑みて案出されたものであり、防火アタッチメントの板バネの先端側から直接樹脂管に取り付けることができて、樹脂管上の防火アタッチメントをほとんどスライドさせることなく取り付けることができる防火アタッチメントの取り付け治具を提供することにある。
【０００７】
また、板バネを容易に管径まで広げることができる防火アタッチメントの取り付け治具を提供することにある。
【課題を解決するための手段】
【０００８】
以上のような課題を解決するために、本発明が採った手段は以下の通りである。
【０００９】
請求項１に係る発明が採った防火アタッチメントの取り付け治具は排水管又は継手の下端部に取り付けられる取付部と、前記取付部に設けられ前記排水管又は継手に接続される樹脂管の端部周面をバネ力によって押圧する金属材料からなるバネ部材と、を備えた防火アタッチメントを樹脂管に取り付けるための治具であって、樹脂管を内側に嵌め込むことが可能な内径を有する外側筒部と、該外側筒部の一方端で外側筒部から延設するように長く形成されてなり、少なくとも外側筒部の内側に配置されている筒部が樹脂管の内径に嵌り込む外径を有してなる内側筒部と備えてなることをその要旨とした。
【００１０】
さらに、請求項２に係る発明が採った防火アタッチメントの取り付け治具は、前記外側筒部の側面に、防火アタッチメントを押圧するスライド部を備えたことをその要旨とした。
【００１１】
また、請求項３に係る発明が採った防火アタッチメントの取り付け治具は、前記内側筒部は、先端が細くなるようにテーパーが設けられていることをその要旨とした。
【００１２】
また、請求項４に係る発明が採った防火アタッチメントの取り付け治具は、樹脂管への嵌め込み、取り外しを容易にするため、把手部材を備えていることをその要旨とする。
【発明の効果】
【００１３】
上記手段を採ったことにより得られる効果は以下の通りである。
【００１４】
本発明に係る防火アタッチメントの取り付け治具は、板バネを取付部側から嵌め込む際に、内側筒部が樹脂管の外径より細く形成されているので、樹脂管に直接嵌め込むよりも小さい力で嵌め込むことができるという効果を有する。また、内側筒部の先端が細くなるようにテーパーを設けて形成すれば、より小さい力で板バネを広げることができるという効果を有する。
【００１５】
また、本発明に係る防火アタッチメントの取り付け治具は、外側筒部に防火アタッチメントが嵌挿されたときには、防火アタッチメントの板バネは大きく広げられているため、樹脂管に板バネの
先端側から嵌めることができる。
【発明を実施するための最良の形態】
【００１６】
本発明の「防火アタッチメントの取り付け治具」を実施するための最良の形態について説明する。
【００１７】
初めに、本発明の取り付け治具１００に使用される防火アタッチメント５０について図面を利用して説明する。図３及び図４に示されるように、防火アタッチメント５０は、取付部５２と複数枚の板バネ５１とからなる。取付部５２は、板材を打ち抜き加工した薄板であり、この取付部５２が排水管又は継手７０の下端部の接続バンド７１によって、該取付部５２の排水管又は継手７０の下端部への取り付けがなさせるようになっている（図９参照）。この取付部５２は、円形、楕円形又は多角形であってもよい。
【００１８】
バネ部材を構成する板バネ５１は、該取付部５２に環状に固定されている。各板バネ５１は略三角形状をなし、その基端が取付部５２に溶接により固定されている。そして、これら複数の板バネ５１の先端又は板バネ５１の側辺が前記取付部５２の取付面と反対側で突き合わせ状態となるように付勢され、略円錐形状をなしている。
【００１９】
こうした防火アタッチメント５０は、火災が発生したとき、以下のように作用する。火災時の熱で樹脂製の樹脂管６０は溶融するか、又は炭化する。これに伴い、樹脂管６０周面を押圧していた複数の板バネ５１は、樹脂管６０の溶融又は炭化によって、そのバネ力で内方に向かって変形し、その先端が突き合わせ状態となって、前記樹脂管６０の残焼物を抱き込みながら突き合わせ状態となって前記継手７０の下端部の開口を閉塞する。これによって、延焼を防火区画外への延焼を防止することになる。
【００２０】
尚、本発明に使用される防火アタッチメント５０における板バネ５１の数や形状は任意であり、樹脂管の種類は太さに応じて適宜変更することができるものである。
【００２１】
さて、次に本発明に係る防火アタッチメントの取り付け治具について説明する。本発明の取り付け治具は、上述した防火アタッチメントを樹脂管に取り付けるための治具である。
【００２２】
本発明に係る取り付け治具は、外側に配置されてなる外側筒部と内側に配置されてなる内側筒部とを備えてなる。外側筒部は、防火アタッチメントを装着する予定の樹脂管の外側から被せ嵌めることができるように、樹脂管の外径とほぼ同径の内径を有する筒状体に作製されている。この外側筒部は、防火アタッチメントを樹脂管に嵌める前に、一時的に防火アタッチメントを保持するためのものである。すなわち、防火アタッチメントが外側筒部に嵌められることによって、バネ板の先端を樹脂管の外径より若干（外側筒部の板材の厚さ分）広げられる。そのため、バネ板の先端側（非取付面側）から樹脂管にスライド移動させて取り付けられるようになる。従って、筒状体の長さは、防火アタッチメントの板バネの長さよりも長く形成されていることが好ましい。
【００２３】
内側筒部は、前記外側筒部の内側にほぼ同心円となるように配置されている。内側筒部は、外側筒部の長さよりも長く形成されていて、外側筒部の一方端側で外側筒部から延長して設けられている。こうして形成された内側筒部の作用のうちの１つは、樹脂管内部に内側筒部を挿入することによって、樹脂管と取り付け治具の位置が同心円に配置されることになる。そのため、樹脂管と外側筒部の位置関係が相互に適切な位置となるように治具の位置を規制されることになる。これによってさらに押し込んでいくと外側筒部が丁度樹脂管の外周に嵌り込むようになり、容易に外側筒部を樹脂管に嵌めることができるようになる。従って、樹脂管への挿入を容易にし、かつ治具の位置を固定できるように、内側筒部は樹脂管の内径とほぼ同径又は若干小さい程度に設け、隙間なく嵌り込むようにするとよい。また、必ずしも円柱形である必要はなく、例えば、先端が細くなるようにテーパーを設けてもよい。係る構成を採用することにより、樹脂管内側へ内側筒部を挿入し易くすることができるとともに、挿入していくに従って、樹脂管に対して治具の位置も適切な位置に誘導されることになるため、外側筒部を樹脂管に容易に嵌めることができる。
【００２４】
また、もう１つの作用は、防火アタッチメントの板バネを広げる際に、いきなり外側筒部のように比較的大きな外径を持つ部材に直接押し込むと板バネを広げるのに、とても大きな力が必要となる。そこで、比較的細い内側筒部を利用して板バネを広げ易くする機能を持たせたものである。従って、この作用の点からみても、内側筒部の先端が細くなるようにテーパーを設けることが有効となる。
【００２５】
また、取り付け治具には、外側筒部に嵌挿された後に、防火アタッチメントを樹脂管に移動させるためのスライド部材を設けてもよい。このスライド部材は、外側筒部に嵌挿された防火アタッチメントの取り付け部を押して移動させることができる機構を有して入れば、その構成は特に限定するものではない。例えば、下記に詳細を説明するが、図１０、図１１に示したようなコの字状のスライド部材４０が考えられる。
【実施例１】
【００２６】
以下、本発明に係る防火アタッチメントの取り付け治具１００の実施例１について、図に沿って説明する。尚、以下に説明する実施例及び図面は、本発明の実施例の最適な形態を例示するものであり、これらの構成に限定する目的に使用されるものではない。
【００２７】
図１及び図２は、実施例１に係る防火アタッチメントの取り付け治具１００の斜視図を示す。本実施例１に係る防火アタッチメントの取り付け治具１００は、外径８９ｍｍ、内径７９ｍｍ、厚さ５．０ｍｍの塩化ビニルからなる樹脂管６０に防火アタッチメント５０を取り付けるタイプのものを使用して具体的に説明する。
【００２８】
実施例１に係る防火アタッチメントの取り付け治具１００は、外側に配置される外側筒部１０及び内側筒部２０を備えている。外側筒部１０は、厚さが１ｍｍの金属板を用いて、内径がほぼ８９ｍｍの円筒状に形成されている。内側筒部２０は、樹脂管６０の内径７９ｍｍより若干短い内径の円筒状に形成されていて、外側筒部１０と同心円となるように把手部材１２を利用して固定されている。また、内側筒部２０は、外側筒部１０より長尺に形成されていて、外側筒部１０の一方端部から延びて設けられている。
【００２９】
以上のようにして作製された防火アタッチメントの取り付け治具１００は以下のようにして使用される。まず、図３に示すように、先述した防火アタッチメント５０の後端側に治具１００の内側筒部２０を挿入していく（図３の矢印）。すると、防火アタッチメント５０の板バネ５１は除々に開口しながら、取り付け治具１００に嵌められていく。このとき、初めに比較的細い内側筒部２０の先端で板バネ５１を押し広げ、その後に比較的太い外側筒部１０で押し広げることになるので、比較的弱い力で容易に挿入させることができる。
【００３０】
そして、板バネ５１が、完全に押し広げられた状態となり、防火アタッチメント５０は外側筒部１０に嵌められることになる（図４参照）。このようにして防火アタッチメント５０が取り付けられた取り付け治具１００は、内側筒部２０を樹脂管６０の内側に挿入する（図５）。このときに把手部材１２を持って行うと容易に挿入することができる。次に、図６に示すように、樹脂管６０を内側筒部２０と外側筒部１０との間に挿入していく。このとき、先述したように、内側筒部２０によって樹脂管６０の位置は固定されるので、そのまま押し込んでいけば、自然に樹脂管６０は、外側筒部１０の内側に挿入されていくことになる。
【００３１】
このようにして樹脂管６０を取り付け治具１００に嵌挿した後、図７に示すように、取付部を矢印の示す方向に押して、防火アタッチメント５０をスライドさせて樹脂管６０上に移動させる。そして、樹脂管に防火アタッチメント５０が装着されたことを確認した後、把手部材１２を持って取り付け治具を外して、完成となる（図８）。
【００３２】
こうして防火アタッチメント５０が取り付けられた樹脂管６０は、建築物の各階の防火区画を貫通する排水管又は継手７０の下端部に接続バンド７１によって取り付けられて使用される（図９参照）。
【実施例２】
【００３３】
以下、本発明に係る防火アタッチメントの取り付け治具１００の実施例２について、図に沿って説明する。図１０及び図１１は、実施例２に係る防火アタッチメントの取り付け治具１００の斜視図を示す。内側筒部２０及び外側筒部１０の構成については、実施例と同様であるので省略する。実施例２は、実施例１に対して、外側筒部１０にスライド部材４０を設けたものである。このスライド部材４０は、防火アタッチメント５０が取り付けられた状態から、防火アタッチメント５０を樹脂管６０にスライドさせるのを容易にするためのものである。スライド部材４０は、金属製の板材をコの字型に折り曲げて形成され、その両先端に防火アタッチメント５０を押圧する押圧部４２を設けたものである。コの字型の両辺には、板材に沿って長細い溝４１が切られている。一方、外側筒部１０の後方側面の両側に係止棒１１が突出形成されている。この係止棒１１を先ほどの長細い溝に挿入させて、スライド部材を係止棒に沿ってスライド可能とさせている。
【００３４】
以上のようにして作製された防火アタッチメントの取り付け治具１００は、まず、図１２に示すように、先述した防火アタッチメント５０の取付面側に治具１００の内側筒部２０を挿入していく。そして、板バネ５１が、完全に押し広げられた状態とする（図１３参照）。このようにして防火アタッチメント５０が取り付けられた取り付け治具１００は、図１４に示すように、内側筒部２０を樹脂管６０の内側に挿入して嵌挿していく。そして、図１５に示すように、樹脂管６０を内側筒部２０と外側筒部１０との間に挿入していく。
【００３５】
このようにして樹脂管６０を取り付け治具に嵌挿した後、図１６に示すように、スライド部材４０を矢印の示す方向に押して、防火アタッチメント５０をスライドさせて樹脂管６０上に移動させる。そして、樹脂管に防火アタッチメント５０が装着されたことを確認した後、取り付け治具を外して、完成となる。
【実施例３】
【００３６】
以下、本発明に係る防火アタッチメントの取り付け治具の実施例２について、図に沿って説明する。図１７は、実施例３に係る防火アタッチメントの取り付け治具１００の斜視図を示す。この実施例３に係る防火アタッチメントの取り付け治具１００は、内側筒部２０のうち外側筒部１０より外方に突出している部分が、先端が細くなるようにテーパーを設けて形成されている。それ以外の点は、実施例１と同様である。係る構成を採用することで、樹脂管６０へ内側筒部２０を挿入し易くなる。また、挿入していくに従って、樹脂管６０の位置がテーパー部によって規制されていき、外側筒部１０に到達するときには、ほぼ樹脂管６０が外側筒部１０の位置にくるように規制されるため、樹脂管６０は自然に外側筒部１０に挿入されていくことになる。これ以外の樹脂管に防火アタッチメントを取り付ける工程は、実施例１と同様であるので省略する。
【産業上の利用可能性】
【００３７】
本発明に係る防火アタッチメントは、防火区画を貫通する排水管又は継手に接続される排水立管を設ける場合に、産業上の利用可能性がある。
【図面の簡単な説明】
【００３８】
【図１】実施例１に係る防火アタッチメントの取り付け治具の斜視図である。
【図２】実施例１に係る防火アタッチメントの取り付け治具の別方向からみた斜視図である。
【図３】実施例１に係る防火アタッチメントの取り付け治具を用いて防火アタッチメントを樹脂管の取り付ける工程の一工程を示す図である。
【図４】実施例１に係る防火アタッチメントの取り付け治具を用いて防火アタッチメントを樹脂管の取り付ける工程の一工程を示す図である。
【図５】実施例１に係る防火アタッチメントの取り付け治具を用いて防火アタッチメントを樹脂管の取り付ける工程の一工程を示す図である。
【図６】実施例１に係る防火アタッチメントの取り付け治具を用いて防火アタッチメントを樹脂管の取り付ける工程の一工程を示す図である。
【図７】実施例１に係る防火アタッチメントの取り付け治具を用いて防火アタッチメントを樹脂管の取り付ける工程の一工程を示す図である。
【図８】実施例１に係る防火アタッチメントの取り付け治具を用いて防火アタッチメントを樹脂管の取り付ける工程の一工程を示す図である。
【図９】実施例１に係る防火アタッチメントの取り付け治具を用いて防火アタッチメントを取り付けられた樹脂管を継手に取り付ける工程を示す図である。
【図１０】実施例２に係る防火アタッチメントの取り付け治具の斜視図である。
【図１１】実施例２に係る防火アタッチメントの取り付け治具の別方向からみた斜視図である。
【図１２】実施例２に係る防火アタッチメントの取り付け治具を用いて防火アタッチメントを樹脂管の取り付ける工程の一工程を示す図である。
【図１３】実施例２に係る防火アタッチメントの取り付け治具を用いて防火アタッチメントを樹脂管の取り付ける工程の一工程を示す図である。
【図１４】実施例２に係る防火アタッチメントの取り付け治具を用いて防火アタッチメントを樹脂管の取り付ける工程の一工程を示す図である。
【図１５】実施例２に係る防火アタッチメントの取り付け治具を用いて防火アタッチメントを樹脂管の取り付ける工程の一工程を示す図である。
【図１６】実施例２に係る防火アタッチメントの取り付け治具を用いて防火アタッチメントを樹脂管の取り付ける工程の一工程を示す図である。
【図１７】実施例３係る防火アタッチメントの取り付け治具の斜視図である。
【図１８】防火アタッチメントを樹脂管に取り付ける従来の工程を示す図である。
【符号の説明】
【００３９】
１００  防火アタッチメントの取り付け治具
１０    外側筒部
２０    内側筒部
４０    スライド部材
５０    防火アタッチメント
６０    樹脂管
【図１】
0005060366.tif 000002
【図２】
0005060366.tif 000003
【図３】
0005060366.tif 000004
【図４】
0005060366.tif 000005
【図５】
0005060366.tif 000006
【図６】
0005060366.tif 000007
【図７】
0005060366.tif 000008
【図８】
0005060366.tif 000009
【図９】
0005060366.tif 000010
【図１０】
0005060366.tif 000011
【図１１】
0005060366.tif 000012
【図１２】
0005060366.tif 000013
【図１３】
0005060366.tif 000014
【図１４】
0005060366.tif 000015
【図１５】
0005060366.tif 000016
【図１６】
0005060366.tif 000017
【図１７】
0005060366.tif 000018
【図１８】
0005060366.tif 000019